(57)【要約】【課題】柱状コンクリート構造物と外周足場の壁つなぎにおいて、従来のように、型枠の締め付け金具跡を利用することなく、また新たにアンカーを設置することなく、足場を柱状コンクリート構造物に固定することができると共に、簡易な金具を用いて、容易に、かつ、確実に固定することができる壁つなぎ用金具及び壁つなぎ方法を提供する。【解決手段】壁つなぐ用金具１０を、直交金具等の固定金具と、単クランプ等の取付金具から構成し、柱状コンクリート構造物１の矩形断面の４つの角部に配置し、固定金具の２方向の当接板を角部の２方向の外面に当接させ、取付金具を外周足場に取り付け、足場２が倒れようとする力に対して、柱状コンクリート構造物１に対する当接板の支圧力で抵抗し、足場２を柱状コンクリート構造物１に確実に固定する。【選択図】図１
2008280690.tif 000002
【特許請求の範囲】
【請求項１】
構造物の外面に沿って設置される足場を構造物の外面に固定するための壁つなぎ用金具であり、構造物の水平断面の角部における２方向の外面に当接する２方向の当接板を有する固定金具と、２方向の当接板に沿って配置される足場内側の部材をそれぞれ当接板に取付ける取付金具を備えていることを特徴とする壁つなぎ用金具。
【請求項２】
構造物の外面に沿って設置される足場を構造物の外面に固定する壁つなぎ方法であり、構造物の外面に沿って足場を設置し、請求項１に記載の壁つなぎ用金具を構造物の水平断面の角部に配置し、取付金具を足場内側の部材に取付け、構造物外面に対する当接板の支圧力により足場を構造物に固定することを特徴とする壁つなぎ方法。
【発明の詳細な説明】
【技術分野】
【０００１】
本発明は、橋脚等の正方形または長方形の断面を有するコンクリート構造物の周囲に設置される足場の壁つなぎ用金具及び壁つなぎ方法に関するものである。
【背景技術】
【０００２】
コンクリート製の橋脚を施工する場合や、施工済みの橋脚上に橋桁を施工する場合には、作業用あるいは昇降用に供するために、橋脚の全周に足場を組み立てる。足場の高さが相当高くなる場合においては、足場の倒壊を防ぐために固定することが法的に定められており、一般的に、足場と橋脚を接続する、いわゆる壁つなぎにより足場を固定している。
【０００３】
図４は、従来の壁つなぎ方法の一例を示したものであり、橋脚等の柱状コンクリート構造物１と、その外周足場２との接続に、伸縮調整可能な棒状の壁つなぎ本体５１の一端にボルト５２、他端に単クランプ５３が設けられた壁つなぎ５０を用い、コンクリート表面に残った型枠の締め付け金具跡を利用してボルト５２を取付ける方法や、コンクリートに新たにアンカーを設置してボルト５２を取付ける方法が用いられている。
【０００４】
なお、本発明の壁つなぎに関する先行技術文献として特許文献１、２がある。特許文献１の発明は、足場における壁つなぎ用器具であり、パイプ把持部とクランプ本体と挟持部から構成し、建物構造材のＨ形鋼に容易に取り付け、取り外しができるようにしたものである。特許文献２の発明は、寸法調整可能な壁つなぎに関するものである。
【０００５】
【特許文献１】特開２００６−２０７３０８号公報
【特許文献２】特開２００１−２５４５１０号公報
【発明の開示】
【発明が解決しようとする課題】
【０００６】
従来の壁つなぎは、型枠の締め付け金具跡を利用した方法や、新たにアンカーを設置する方法であったため、足場の解体時には、これらの跡処理を行う必要があった。この跡処理は、モルタルによる跡埋めであるが、足場の解体に伴って作業足場が無くなるため、一度に行うことができず、足場を解体しながらの作業となっていた。
【０００７】
この跡処理は解体中の足場上で行う必要があるため、安全な作業床の確保が不十分となりやすく、安全上の課題となっている。
【０００８】
また、解体中に他工種の作業が混在するので、足場解体の工程が遅延する等の課題があった。
【０００９】
本発明は、上記の従来技術の課題を解決すべくなされたもので、柱状コンクリート構造物と外周足場の壁つなぎにおいて、従来のように、型枠の締め付け金具跡を利用することなく、また新たにアンカーを設置することなく、足場を柱状コンクリート構造物に固定することができると共に、簡易な金具を用いて、容易に、かつ、確実に固定することができる壁つなぎ用金具及び壁つなぎ方法を提供することにある。
【課題を解決するための手段】
【００１０】
本発明の請求項１は、構造物の外面に沿って設置される足場を構造物の外面に固定するための壁つなぎ用金具であり、構造物の水平断面の角部における２方向の外面に当接する２方向の当接板を有する固定金具と、２方向の当接板に沿って配置される足場内側の部材をそれぞれ当接板に取付ける取付金具を備えていることを特徴とする壁つなぎ用金具である。
【００１１】
本発明の請求項２は、構造物の外面に沿って設置される足場を構造物の外面に固定する壁つなぎ方法であり、構造物の外面に沿って足場を設置し、請求項１に記載の壁つなぎ用金具を構造物の水平断面の角部に配置し、取付金具を足場内側の部材に取付け、構造物外面に対する当接板の支圧力により足場を構造物に固定することを特徴とする壁つなぎ方法である。
【００１２】
本発明は、橋脚等の水平断面が矩形等の角部を有する柱状コンクリート構造物とその外周足場との壁つなぎに適用される。例えば、図１、図２に示すように、基本的に、直交２方向の当接板を有する直交金具等の固定金具と、この固定金具の外面に取り付けられる２方向の単クランプあるいは直交クランプ等の取付金具から構成される。取付金具は、足場の構成部材に直接取り付けられる。あるいは、足場の内側に柱状コンクリート構造物を取り巻くように取り付けられる単管に取り付けられる。
【００１３】
以上のような構成において、地上からくみ上げられた足場の内側で、柱状コンクリート構造物の例えば矩形断面の４つの角部に壁つなぎ用金具を当てて配置し、取付金具を直接、足場に接続し、あるいは、足場内側の単管に接続する。壁つなぎ用金具の２方向の当接板が角部の２方向の外面に当接した状態で足場が柱状コンクリート構造物に固定される。足場が倒れようとする力に対して、柱状コンクリート構造物に対する当接板の支圧力で抵抗し、足場が柱状コンクリート構造物に確実に固定される。
【００１４】
型枠の締め付け金具跡を利用せずに、またコンクリート表面に新たなアンカーを設置せずに、壁つなぎが可能であるので、足場の存置中に型枠の締め付け金具跡などの跡処理を実施することができる。従って、足場の解体中に跡処理を行う必要がなくなるので、作業の安全性の向上、及び足場解体の工程の短縮が可能となる。また、コンクリート表面にアンカー設置などの傷を付けることが無くなる。さらに、壁つなぎに使用する本発明の金具は、断面の大きさに制約されないため、一度作っておけば、転用が可能となる。
【発明の効果】
【００１５】
本発明は、以上のような構成からなるので、次のような効果が得られる。
（1）型枠の締め付け金具跡を利用せずに、またコンクリート表面に新たなアンカーを設置せずに、壁つなぎが可能であるので、足場の解体中に跡処理を行う必要がなくなり、作業の安全性の向上、及び足場解体の工程の短縮が可能となる。
（2）コンクリート表面に新たにアンカーを設置する必要が無くなることから、コンクリート表面を傷めることがなく、コンクリートの耐久性が向上する。
（3）簡易な金具を用いて足場を柱状コンクリート構造物に、容易に、かつ、確実に固定することができ、コストの低減及び工期の短縮が可能となる。
（4）本発明の金具は、転用が可能であり、さらなるコストの低減が可能となる。
【発明を実施するための最良の形態】
【００１６】
以下、本発明を図示する実施形態に基づいて説明する。図１は、本発明の壁つなぎ用金具による壁つなぎの一例を示す平面図である。図２は、本発明の壁つなぎ用金具の基本構造の一例を示す平面図である。図３は、本発明の壁つなぎ用金具の具体的な一例を示す斜視図、平面図、側面図である。
【００１７】
図１において、橋脚等の水平断面が矩形の柱状コンクリート構造物１の全周に外周足場２が設置され、本発明の壁つなぎ用金具１０を矩形断面の４つの角部に配置し、各壁つなぎ用金具１０をそれぞれ外周足場２に接続し、柱状コンクリート構造物１の外面に対する壁つなぎ用金具１０の支圧力により、外周足場２を柱状コンクリート構造物１に固定する。
【００１８】
壁つなぐ用金具１０の基本構造は、図２に示すように、直交金具１１等の固定金具と、単クランプ１２等の取付金具から構成される。直交金具１１は、矩形断面の直角の角部において直交する２方向の外面Ａ、Ｂに当接する２方向の当接板１１Ａ、１１Ｂを有する。この当接板１１Ａ、１１Ｂの外面に２方向の単クランプ１２Ａ、１２Ｂが取付けられる。この単クランプ１２は、その取付ボルトを当接板１１の取付孔に挿入しナットで容易に固定することができる。
【００１９】
単クランプ１２Ａ、１２Ｂには、それぞれ直接、外周足場２の構成部材が接続される（図１参照）。あるいは、図２に示すように、外周足場２の内側に水平に取付けた単管１３Ａ、１３Ｂにそれぞれ単クランプ１２Ａ、１２Ｂが取付けられる。なお、単クランプに限らず、直交クランプを用いることもでき、また、その他の取付金具でもよい。
【００２０】
矩形断面の長辺が相当長い場合には、中間部の壁つなぎに従来タイプの壁つなぎ２０を使用することもできる（図１参照）。一辺の長さが十分短い場合には、本発明の壁つなぎ用金具１０のみで壁つなぎが可能である。また、長辺方向の単管１３は、途中でつなぐ必要があれば、重ね継ぎで固定することができる。
【００２１】
以上のような構成の壁つなぎ用金具において、地上からくみ上げられた外周足場２の内側で、柱状コンクリート構造物１の矩形断面の４つの角部に壁つなぎ用金具１０を当てて配置し、単クランプ１２等を直接、外周足場２に接続する。あるいは、外周足場２の内側に矩形断面を取り巻くように単管１３を組み立てて外周足場２に接続し、壁つなぎ用金具１０の単クランプ１２等を単管１３に接続する。
【００２２】
図２に示すように、壁つなぎ用金具１０の当接板１１Ａ、１１Ｂが矩形断面の直角の角部の直交する２方向の外面Ａ、Ｂに当接した状態で外周足場２が柱状コンクリート構造物１に固定される。方向Ａに足場が倒れようとする力に対しては、当接板１１Ａの内面Ａで抵抗することができ、このとき、直交する単管１３Ｂにより金具は脱落することが無い。同様に、方向Ｂに足場が倒れようとする力に対しては、当接板１１Ｂの内面Ｂで抵抗することができ、このとき、直交する単管１３Ａにより金具は脱落することが無い。
【００２３】
図３の具体例においては、壁つなぎ用金具１０の直交金具１１に垂直の張出し部１４と水平の補強プレート１５を設けている。張出し部１４は、２方向の当接板１１Ａ、１１Ｂの角部の上下からそれぞれ外側に一体的に張り出すように形成され、この張出し部１４Ａ、１４Ｂにそれぞれ単クランプ１２Ａ、１２Ｂが取付けられる。この張出し部１４Ａ、１４Ｂが当接板１１Ａ、１１Ｂの上下方向の中間位置に設けられた平面形状が直角三角形の補強プレート１５で補強される。
【００２４】
本発明の壁つなぎ用金具１０は、直交金具１１と取付金具１２を有していればよく、図示例に限定されないことはいうまでもない。また、柱状コンクリート構造物は矩形断面に限らず、角部のある水平断面に適用することができる。
【図面の簡単な説明】
【００２５】
【図１】本発明の壁つなぎの一例を示す平面図である。
【図２】本発明の壁つなぎ用金具の基本構造の一例を示す平面図である。
【図３】本発明の壁つなぎ用金具の具体的な一例を示す、（ａ）は斜視図、（ｂ）は平面図、（ｃ）は側面図である。
【図４】従来の壁つなぎと金具を示す、（ａ）は平面図、（ｂ）は金具の側面図である。
【符号の説明】
【００２６】
１……柱状コンクリート構造物
２……外周足場
１０…壁つなぎ用金具
１１…固定金具（直交金具）
１２…取付金具（単クランプ等）
１３…単管
１４…張出し部
１５…補強プレート
２０…壁つなぎ
【図１】
2008280690.tif 000003
【図２】
2008280690.tif 000004
【図３】
2008280690.tif 000005
【図４】
2008280690.tif 000006